(57)【要約】【課題】手袋の甲にアイアンフェースの表示部を設け、その表示の向きを実際のアイアンフェースの向きと一致させてスイングすることにより、正しいスイング軌道が得られるものであり、そのためのアイアンフェース表示が設けられた手袋を実現することを課題とするものである。【解決手段】手袋の甲側に、ゴルフクラブのアイアンフェースが表示されていることを特徴とするゴルフ用手袋であり、前記のゴルフクラブのアイアンフェースは、手袋の甲部に着脱自在、その向きを変更可能に設けられる着脱部材に表示されていることを特徴とする。【選択図】  図１
2011135982.tif 000002
【特許請求の範囲】
【請求項１】
手袋の甲側に、ゴルフクラブのアイアンフェースが表示されていることを特徴とするゴルフ用手袋。
【請求項２】
前記のゴルフクラブのアイアンフェースは、手袋の甲部に着脱自在に設けられる着脱部材に表示されていることを特徴とする請求項１に記載のゴルフ用手袋。
【請求項３】
前記のゴルフクラブのアイアンフェースが表示された着脱部材は、その表示の向きを変更可能に設けられていることを特徴とする請求項１又は請求項２に記載のゴルフ用手袋。
【請求項４】
前記のゴルフクラブのアイアンフェースが表示された着脱部材は、ボールマーカーであることを特徴とする請求項２又は請求項３に記載のゴルフ用手袋。
【請求項５】
前記の着脱部材は、面ファスナーによる着脱手段が設けられていることを特徴とする請求項２から請求項４までのいずれかの項に記載のゴルフ用手袋。
【請求項６】
前記の着脱部材は、磁石による着脱手段が設けられていることを特徴とする請求項２から請求項４までのいずれかの項に記載のゴルフ用手袋。
【発明の詳細な説明】
【技術分野】
【０００１】
本発明は、ゴルフ用の手袋に関し、特に、手の基本動作を掴むことができるゴルフ用の手袋に関する。
【背景技術】
【０００２】
ゴルフ人口は、現在、１，２００万人とも言われている。これほどまでに普及しているスポーツであるが、「ゴルフは難しい。」、「スライス・フック・ダブリ」等の悩みの多いスポーツでもある。
【０００３】
ゴルフ指導書、テレビレッスン等で体得したつもりが、一夜漬け練習での成果はコースでは発揮できないのが現状である。
【０００４】
原因は、スイング（個人差）ではなく、特に基本である手の動きであると思われる。
【０００５】
バックスイングからダウンスイングの過程で手の使い方を教わっても捏ねたりして上手くいかないものである。
【０００６】
ゴルフの第一人者であるリー・トレビノ氏は、「ダウンスイングは左手甲にボールを載せて打っていた」と語っているように、手の動きは非常に重要である。
【０００７】
ゴルフ練習用手袋として、特開２００２−１３６６３１号公報では、手首の折れを矯正し、好ましいテークバックのトップ位置でのフォームを形成し、理想的なインパクトを達成する理想的なスウィング軌道が得られる練習用手袋として、手袋本体の内部に着用者の手の甲の指の付け根を除いた部分と手首部分と手首付け根部分とが当たる個所に、手首が手の甲側に曲がったコック状態になるのを阻止するための３．５ｃｍよりも狭い幅の矯正部材を固定する手袋が開示されている。
【０００８】
また、特開２００５−２５３５５７号公報では、ゴルファーの利き腕でない方の腕の手に装着して使用するゴルフ用手袋において、ゴルフ手袋の親指袋に、他方の手の親指を挿入する親指袋が固着されており、該手袋を使用してクラブを両手で握りさえすれば、必然的にクラブの正しい握り方が習得できるゴルフ用手袋が開示されている。
【先行技術文献】
【特許文献】
【０００９】
【特許文献１】特開２００２−１３６６３１号公報
【特許文献２】特開２００５−２５３５５７号公報
【発明の概要】
【発明が解決しようとする課題】
【００１０】
上記の特開２００２−１３６６３１号公報は、手首が手の甲側に曲がったコック状態になるのを阻止するために矯正部材を固定するものであるが、矯正部材による矯正力でスイング軌道が乱れてしまう問題がある。
【００１１】
また、特開２００５−２５３５５７号公報では、握り方のみの矯正であり、スイング軌道を矯正できるとは限らない。
【００１２】
本発明は、手袋の甲にアイアンフェースの表示を設け、その表示の向きを実際のアイアンフェースの向きと一致させてスイングすることにより、正しいスイング軌道が得られるものであり、そのためのアイアンフェース表示が設けられた手袋を実現することを課題とするものである。
【課題を解決するための手段】
【００１３】
本発明は諸課題を解決するために、請求項１では、手袋の甲側に、ゴルフクラブのアイアンフェースが表示されていることを特徴とするゴルフ用手袋とするものである。
【００１４】
該アイアンフェースは、ゴルフクラブのアンアンフェースの形状、特に外形が認識できるものであればいずれでも良く、写真やイラスト図形等でも良く、外形のみを図形化したものでも良い。
【００１５】
また、表示方法としては、直接描いても良く、プリントしても良く、刺繍などでも良い。布や樹脂材、金属材に予め表示してから取り付けたものでも良い。
【００１６】
請求項２では、前記のゴルフクラブのアイアンフェースは、手袋の甲部に着脱自在に設けられる着脱部材に表示されていることを特徴とするゴルフ用手袋とするものである。
【００１７】
該着脱部材は、いずれの材料でも良く、紙製、布製、樹脂製、金属製などいずれでも良く、着脱手段は、手袋の甲部に着脱できるものであればいずれでも良く、フック、ボタン、ファスナー、粘着剤などいずれでも良い。
【００１８】
請求項３では、前記のゴルフクラブのアイアンフェースが表示された着脱部材は、その表示の向きを変更可能に設けられていることを特徴とするゴルフ用手袋とするものである。
【００１９】
向きの変更手段は、アイアンフェースの向きを変更できるものであればいずれでも良く、取り外して向きを変えて再度取り付けられるようにしたものでも良く、回転軸を設けたものなどでも良い。
【００２０】
請求項４では、前記のゴルフクラブのアイアンフェースが表示された着脱部材は、ボールマーカーであることを特徴とするゴルフ用手袋とするものである。
【００２１】
該ボールマーカーは、紙製、布製、樹脂製、金属製などいずれでも良く、形状も円形、多角形などいずれの形状でも良い。
【００２２】
請求項５では、前記の着脱部材は、面ファスナーによる着脱手段が設けられていることを特徴とするゴルフ用手袋とするものである。
【００２３】
該面ファスナーは、着脱部材と手袋の甲部の両方に雄、雌の面ファスナーを設け、着脱可能とするものである。
【００２４】
請求項６では、前記の着脱部材は、磁石による着脱手段が設けられていることを特徴とするゴルフ用手袋とするものである。
【００２５】
該磁石による着脱手段は、手袋の甲部、又は着脱部材のいずれかに磁石を取り付け、他方に鉄製などの磁性体を設けたものなどでも良い。
【００２６】
磁石、磁性体の形状は、着脱可能であればいずれでも良く、円形や多角形でも良い。
【発明の効果】
【００２７】
本発明は以下の効果を奏する。
１）ゴルフクラブのアイアンフェースの表示を実際のアイアンフェースと同じ向きに合わせてスイングすることにより、簡単に正しいスイングを実現できる。
【００２８】
２）着脱部材を設けることにより、手袋のアイアンフェースの表示を取り換えることができる。
【００２９】
３）着脱部材の向きを変更できるので、簡単に、実際のアイアンフェースに手袋のアイアンフェースを合わせることができる。
【００３０】
４）着脱部材をボールマーカーとして使用することができる。
【００３１】
５）着脱手段を面ファスナーとすることで、着脱が容易となる。
【００３２】
６）着脱手段に磁石を用いることで、着脱が容易となる。
【図面の簡単な説明】
【００３３】
【図１】本発明によるゴルフ用手袋の実施例を示す概略図である。
【図２】本発明によるゴルフ用手袋に表示されるアイアンフェース表示の拡大図である。
【発明を実施するための形態】
【００３４】
本発明の実施の形態について図面を用いて説明する。
【００３５】
図１は、本発明によるゴルフ用手袋の実施例を示す概略図である。
【００３６】
本実施例では、手袋本体１の甲部に、円形の布製ボールマーカー２が面ファスナーにより、取り付けられている。
【００３７】
該円形のボールマーカー２の表面には、アイアンフェースの図形３が表示されている。
【００３８】
図２は、そのアイアンフェース図形を示す拡大図である。
【００３９】
アイアンフェースの外形３とその表面の溝４までイラスト化されて表示されているものである。
【００４０】
着脱は、面ファスナーのほかにフックや磁石等を用いても良く、取り付け、取り外しが簡単にでき、そのアイアンフェースの向きを簡単に変更できるものであればいずれの手段を用いても良い。
【００４１】
ボールマーカーとしても使用できるものが好ましく、図形の大きさは、１〜３ｃｍ程度が好ましい。
【００４２】
また、図形は、彩色したり、光らせたりして、見やすくすることが好ましい。また、取り換えができるので、各種のデザインを準備することで、クラブに合わせて取り換えて使用することもできる。
【００４３】
次に本発明によるアイアンフェースが表示された着脱部材を使用したゴルフの練習方法について説明する。
【００４４】
バックスイングは以下の通りである。
（１）本発明の手袋のアイアンフェース図形と使用するクラブのフェースの向きを一致させる。
【００４５】
（２）左手のグリップは、中指、薬指、小指の三本で握る。小指リードで腕時計方向に曲げる。（甲が曲がる）
【００４６】
（３）右手のグリップは中指、薬指の二本で握る。左手の角度に合わせて二本の指（中指、薬指）で左手親指を押え込む。
【００４７】
（４）バックスイングの軌道の確認
１）右足前まで、両手を平行にする。
２）左肩と「手袋」主導で、右腰高さに止める。（バックコーナー）
３）シャフトは打つ方向（ターゲット）の平行線上にあるようにする。
４）トーは上を向いていること。
５）右肘は腰に付けた状態で、「手袋」とフェースが一致していること。
【００４８】
（５）右腰高さの確認
ターゲットに平行のシャフト線上（足に平行又は足の前の線上）の線を描き出し、その線上にバックスイングし、左肩を顎の下に収める。
【００４９】
ダウンスイングは以下の通りである。
【００５０】
（１）バックスイングで描いた線上に腰の高さに「手袋」肩リードで下ろす。
【００５１】
（２）腰の高さでの確認事項のチェック
１）ターゲットの平行直線上にシャフトがある。
２）右肘は右腰の位置にある。
３）「手袋のアイアンフェース表示」とクラブのアイアンフェースとの向きが一致している。
４）トーは上を向いている。「手袋」は正面を向いている。
【００５２】
（３）ダウンスイングは、ターゲットを描いた線上に「手袋」リードでリリースする。
【００５３】
（４）右手の使い方
１）右腰にある肘は、リリース時に大きな役目をする。
２）肘から先（手と第一腕は、一体で動く）
３）「手袋」リードでリリースする。
４）甲側に曲げた左手を時計の反対方向に小指中心に戻す。
５）右手は「手袋」のリードで肘を基点に第一腕手が一体で回転する。（てこの応用）
６）「手袋」は、常にターゲットの平行線上。その軌道を外してボールを打ちに行かないこと。
７）頭はボールより、常に右にある。
８）ダウンスイング完了（フロントコーナー）では、右手の甲が上を向き、左手の甲は地面を向き、両手は交差する。
９）各項目をチェックしながらスイングはできないが、ポイントとしては、「手袋」はターゲットの平行線上を通しながら、右手のテコを利用しながら、右肩を顎に収めることである。
【符号の説明】
【００５４】
１  手袋本体
２  ボールマーカー
３  アイアンフェースの図形
４  溝図形
【図１】
2011135982.tif 000003
【図２】
2011135982.tif 000004